(57)【要約】【課題】一枚の紙材のみを使用し、工程の少ない一連の折り曲げ作業で、接着剤を貼着する事無く、容易に、確実に、紙容器を組立てることができ、また、紙を材料とし、環境問題に対応した紙製容器を提供する。【解決手段】本発明は、１枚のみの紙材から折り曲げ、組立てる紙製トレー容器にあって、底面１の四辺形縁に連設した側壁面２、３を起立させ、これら側壁面２，３に連接する補助側壁面４，５及び折り返し縁面６，７，８，９を折り曲げ、組立し、最後に折り込み縁面７の先端の突起１０，１１の根元の切り込み１３までを側壁面３の切り欠き１２に差し込み、係合固定する事で、接着材を貼着する事無く、上部縁面を強固にし型崩れを防いだ上部開口箱型構造の紙製トレー容器を簡単に組立てられるようにしたものである。【選択図】　図１
2004035052.tif 000002
【特許請求の範囲】
【請求項１】
紙製トレー容器において、底面１の四辺形縁に連設した側壁面２、３を起立させ、側壁面２の両端に連設する補助側壁面４、５と、側壁面２及び補助側壁面４の外端に折り返し縁面６，７と、側壁面２及び補助側壁面５の外端に折り返し縁面８，９とを備え、折り返し縁面８，９を外側に曲げた後に補助側壁面５を内側に折り曲げて側壁面３を包み、最後に折り返し縁面６，７を外側に曲げた後に補助側壁面４を内側に折り曲げて側壁面３及び補助側壁面５を包むと同時に折り込み縁面７の先端の突起１０，１１の根元の切り込み１３までを側壁面３の切り欠き１２に差し込み、係合固定する事で、接着剤を貼着すること無く、上部縁面を強固にし型崩れを防いだ上部開口箱型構造の紙製トレー容器を一枚の紙材により形成することを特徴とする生鮮食品の包装用紙製容器。
【発明の詳細な説明】
【０００１】
【発明の属する技術分野】
本発明は、茸類や青菜等の生鮮食品を収納するのに適した上部開口箱型の紙製トレー容器に関するものであり、特に、１枚の紙を折り曲げて、接着剤を貼着する事無く、簡単に組立ることが出来る紙製トレー容器に係わるものである。
【０００２】
【従来の技術】
従来、しめじ、えりんぎ等の茸類や青菜等の生鮮食品の包装用容器として、上部開口箱型のプラスチック製や発泡スチロール製のトレー容器が広く使用されている。
【０００３】
しかし、プラスチック製トレー容器の廃棄に際して、焼却したときに有毒ガスを発生し環境汚染の原因となる問題点等が指摘されるようになり、廃棄に問題が少なく、環境にやさしい紙を使用したトレー容器が脚光を浴びるようになっている。
上記の紙製トレー容器は、一枚乃至、複数枚の紙材を折り曲げ、重合部に接着剤を貼着し、組立てるものである。
【０００４】
【発明が解決しようとする課題】
従来のプラスチック製や発泡スチロール製のトレー容器において、容器として使用後の廃棄に問題があるため、現状、使用後、これらのトレー容器は、回収し再利用を図るか、又は燃焼処理するか、等の処理がなされているが、いずれも満足し得る状態でなく、特に、ゴミとして焼却した際に、有毒ガスを発生し環境汚染の原因にもなっており、その使用量の削減等が求められている。
又、のプラスチック製のトレー容器を使用した密閉包装内に閉じ込められた生鮮食品から発する水分が、トレー容器の底面に溜まり、水滴化し底面に溜まった水により茸類や青菜等の生鮮食品を品質低下させることがある。
【０００５】
紙製トレー容器において、従来のプラスチック製や発泡スチロール製のトレー容器に代わる回収利用、及び、廃棄処理の容易な、環境にやさしい紙製トレー容器が提案、採用されて来ている。しかし、１枚乃至、複数の紙材を折り曲げ、重合部に接着剤を貼着し、組立てる為、プラスチック製の様に大量に、安価に製作できないため、この紙製トレー容器を、接着剤を貼着する事無く、簡易折り曲げ、組立することにより、材料、製造工程を簡便化することにある。
【０００６】
【課題を解決するための手段】
上記課題を解決するため、この発明は、１枚のみの紙材から折り曲げ、組立てる紙製トレー容器にあって、底面１の四辺形縁に連設した側壁面２、３を起立させ、これら側壁面２，３に連接する補助側壁面４，５及び折り返し縁面６，７，８，９を折り曲げ、組立し、最後に折り込み縁面７の先端の突起１０，１１の根元の切り込み１３までを側壁面３の切り欠き１２に差し込み、係合固定する事で、接着材を貼着する事無く、上部縁面を強固にし型崩れを防いだ上部開口箱型構造の紙製トレー容器を簡単に組立てられるようにしたものである。
【０００７】
【発明の実施の形態】
以下、図１乃至図３に示す実施例に基づいて本発明を具体的に説明する。
【０００８】
図３は、本発明の実施の形態を示す生鮮食品包装用紙製容器の紙材Ｂの展開例を示す平面図であり、紙材Ｂは、底面１の四辺形縁の折り曲げ線１ａ、１ｂを介して側壁面２，３を連設され、側壁面３の末端に切り込み１２を有し、側壁面２の両端に折り曲げ線２ａ、２ｂを介し補助側壁面４、５を連設される。
【０００９】
側壁面２及び補助側壁面４の端に折り曲げ線２ｃ、４ｃを介し折り返し縁６，７を連設され、又側壁面２及び補助側壁面５の端に折り曲げ線２ｄ、５ｄを介し折り返し縁８，９を連設され、折り返し縁７の先端には根元に切り込み１３を有する突起１０，１１をを連設される。
【００１０】
次に、上記のように展開形成された紙材Ｂにより本発明の紙トレー容器を組立てる工程を、図１、２，３に基づいて説明する。
先ず、底面１の四辺形縁の折り曲げ線１ａ、１ｂに沿って側壁面２、３を内側に起立させて、上部開口箱型容器を形成される。
次に、折り曲げ線２ｄ、５ｄに沿って折り返し縁８，９を外側に折り曲げた後に折り曲げ線２ａに沿って補助側壁面５を内側に折り曲げ、側壁面３を包み込む。
【００１１】
最後に、折り曲げ線２ｃ、４ｃに沿って折り返し縁６，７を外側に折り曲げた後に折り曲げ線２ｂに沿って補助側壁面４を内側に折り曲げ、側壁面３及び補助側壁面５を包むと同時に折り込み縁面７の突起１０，１１の根元の切り込み１３までを側壁面３の切り欠き１２に差し込み、係合固定する事で、接着剤を貼着する事無く、上部縁面を強固にし型崩れを防いだ上部開口箱型構造の紙製トレー容器を組立てられる。
【００１２】
【発明の効果】
１．この発明の紙製容器は、一枚の紙材のみを使用し、工程の少ない一連の折り曲げ作業で、接着剤を貼着すること無く、簡単に、確実に、紙製トレー容器を組立てる事ができ材料費、組立費のコストを低減される。
【００１３】
２．この発明の紙製容器は、１枚の紙材のみで構成される容器である事から、容器としての使用後、そのまま燃焼ゴミとして廃却する事ができ、環境汚染等の原因にならないものである。又、省資源省エネルギーのために廃棄物を回収し紙資源として再利用できる点でも効果が高いものである。
【００１４】
３．本発明の紙製容器は、紙製の容器である事から、密閉包装容器で茸類や青菜等の生鮮食品から蒸発する水分が水滴化して容器の底面に付着し、底面に落ちて水滴化した水分を紙で吸収し、紙容器の側面や底面に水が溜まる事がないため、生鮮食品の品質低下を防ぐことができ、生鮮食品の包装用紙製トレー容器として、使用範囲を広げることができる。
【図面の簡単な説明】
【図１】本発明の生鮮食品用紙製容器の組立状態を示す斜視図。
【図２】本発明の生鮮食品用紙製容器の組立て途中を示す斜視図。
【図３】本発明の生鮮食品用紙製容器の展開例を示す紙材の平面図。
【符号の説明】
Ａ　　生鮮食品の紙製容器
Ｂ　　生鮮食品の紙製容器の紙材
１　底面
２　側壁面
３　側壁面
４　補助側壁面
５　補助側壁面
６　折り返し縁面
７　折り返し縁面
８　折り返し縁面
９　折り返し縁面
１０　突起
１１　突起
１２　切り欠き
１３　切り込み
１ａ、１ｂ　折り曲げ線
２ａ、２ｂ　折り曲げ線
２ｃ、４ｃ　折り曲げ線
２ｄ、５ｄ　折り曲げ線
【図１】
2004035052.tif 000003
【図２】
2004035052.tif 000004
【図３】
2004035052.tif 000005